(57)【要約】【課題】  トレーラーのタイヤに補助駆動輪を強い力を要することなく押し付けて駆動力を確実に伝達できる補助駆動装置付きトレーラーを提供する。【解決手段】  トレーラー１０のフレーム１１の左右それぞれの近接した前後のタイヤ１２間位置に垂直向きのガイドレール２３を取り付け、補助駆動輪２１をガイドレール２３に沿って昇降可能に設け、補助駆動輪２１をガイドレール２３に沿って昇降させるシリンダ２４を取り付ける。非常時は、補助駆動輪２１を前後のタイヤ１２に押し付けて駆動させる。前後のタイヤ１２は摩擦で同方向へ強制的に回転させられてトレーラー１０が前進又は後進できる。このとき、補助駆動輪２１は前後のタイヤ１２とシリンダ２４の三方向から挟まれて逃げ場がない状態となっているから、補助駆動輪２１はタイヤ１２に常に強く押し付けられてスリップし難い。【選択図】  図４
0003142601.tif 000002
【実用新案登録請求の範囲】
【請求項１】
左右一対の非駆動のタイヤを車体の前後に複数組近接して備えたトレーラーにおいて、前記左右それぞれの近接した前後のタイヤ間の上方位置にタイヤより小径の補助駆動輪を昇降可能に設け、同左右の補助駆動輪を左右連動又は左右独立して降下させて前後のタイヤに押し付ける押付手段を設け、押し付けた補助駆動輪で前後のタイヤを同一方向へ強制的に回転できるようにしたことを特徴とする、補助駆動装置付きトレーラー。
【請求項２】
押付手段が、トレーラーのフレームのタイヤ間位置に垂直向きのガイドレールを取り付け、同ガイドレールに補助駆動輪を水平向きの状態で摺動自在に取り付け、補助駆動輪を昇降させるシリンダのロッドを補助駆動輪の非回転部分に固着したものである、請求項１記載の補助駆動装置付きトレーラー。
【考案の詳細な説明】
【技術分野】
【０００１】
本考案は、トラクターがスリップする場合や坂道で駆動力不足となる場合にトレーラーの非駆動のタイヤを強制的に回転させて前進又は後進できるようにする補助駆動装置付きトレーラーに関する。
【背景技術】
【０００２】
トラクターでトレーラーを牽引中、悪路でトラクターのタイヤがスリップして前進できなくなることがある。その場合は、表面に凹凸が形成された板材をトラクターの動力駆動されるタイヤと路面との間に挟み込み、その摩擦で駆動力を路面に伝達して脱出する方法がとられる。しかし、坂道の途中や交通量の多い箇所などでは作業に危険を伴い、時間も要するものであった。また、坂道においてトラクターのエンジンの出力不足で牽引不能となった場合は前進することができなかった。
【０００３】
一方、悪路から脱出するための装置を備えた車両が特許文献１に開示されている。この技術は、緊急時にタイヤの外径より小径の補助駆動輪を動力駆動されない一つのタイヤに押し付け、タイヤと補助駆動輪との摩擦でタイヤを強制的に回転させて脱出できるようにしている。しかしながら、前記技術では駆動輪をタイヤに１箇所で押し付ける構造であるから、補助駆動輪を強い力で押し付けないと反発力で補助駆動輪自身がスリップし、駆動力がタイヤに伝達され難くなる問題があった。
【特許文献１】特開平１０−１８１３６８号公報
【考案の開示】
【考案が解決しようとする課題】
【０００４】
本考案が解決しようとする課題は、従来のこれらの問題点を解消し、トレーラーの非駆動のタイヤに補助駆動輪を強い力を要することなく押し付けて駆動力を確実に伝達できる補助駆動装置付きトレーラーを提供することにある。
【課題を解決するための手段】
【０００５】
かかる課題を解決した本考案の構成は、
１）  左右一対の非駆動のタイヤを車体の前後に複数組近接して備えたトレーラーにおいて、前記左右それぞれの近接した前後のタイヤ間の上方位置にタイヤより小径の補助駆動輪を昇降可能に設け、同左右の補助駆動輪を左右連動又は左右独立して降下させて前後のタイヤに押し付ける押付手段を設け、押し付けた補助駆動輪で前後のタイヤを同一方向へ強制的に回転できるようにしたことを特徴とする、補助駆動装置付きトレーラー
２）  押付手段が、トレーラーのフレームのタイヤ間位置に垂直向きのガイドレールを取り付け、同ガイドレールに補助駆動輪を水平向きの状態で摺動自在に取り付け、補助駆動輪を昇降させるシリンダのロッドを補助駆動輪の非回転部分に固着したものである、前記１）記載の補助駆動装置付きトレーラー
にある。
【考案の効果】
【０００６】
本考案によれば、常時の走行時は補助駆動輪を前後の非駆動のタイヤから離間させておく。悪路によるスリップなどの非常時は、補助駆動輪を前後の非駆動のタイヤそれぞれに押し付けて駆動させることで、前後のタイヤを摩擦で同方向へ強制的に回転させてトレーラーが前進又は後進して悪路から脱出できる。このとき、補助駆動輪は前後のタイヤと押付手段の三方向から挟まれて逃げ場がない状態となっているから、補助駆動輪はタイヤに常に強く押し付けられてスリップし難くなり、駆動力をタイヤに確実に伝達できるようになる。また、トラクターのエンジンの出力不足等で走行が困難となった場合でも、前記と同様に補助駆動輪でタイヤを強制的に回転させることで、エンジンの駆動力を補助して走行可能にできて坂道の走行が良好になる。
【考案を実施するための最良の形態】
【０００７】
本考案の補助駆動装置は、一般的に左右両輪を連動させるが、路面の状態に応じて片側のみを独立して作動させるようにしてもよい。補助駆動輪の駆動源としては、電動モータ・油圧モータ・空気圧モータ等がある。押付手段としては、電動シリンダ・油圧シリンダ・空気圧シリンダ等があり、手動も可能である。以下、本考案の実施例を図面に基づいて具体的に説明する。
【実施例１】
【０００８】
図１〜４に示す実施例は、セミトレーラーに本考案の補助駆動装置を取り付けた補助駆動装置付きトレーラーの例である。図１は実施例のトレーラートラックの側面図、図２は実施例の補助駆動装置の説明図、図３は実施例の補助駆動装置付きトレーラーの平面図、図４は実施例の補助駆動装置の使用状態を示す説明である。
【０００９】
図中、１０はトレーラー、１１はフレーム、１２はタイヤ、２０は補助駆動装置、２１は補助駆動輪、２２はインホイールモータ、２２ａは固定軸、２２ｂは固定子、２２ｃは回転子、２３はガイドレール、２４はシリンダ、２４ａはロッド、２５はコントローラ、３０はトラクターである。
【００１０】
本実施例の補助駆動装置２０は、図１〜３に示すようにトレーラー１０のフレーム１１の左右それぞれの近接した前後のタイヤ１２間位置に垂直向きのガイドレール２３を取り付け、外周部がゴム製でインホイールモータ２２と一体の補助駆動輪２１をガイドレール２３に沿って昇降可能に設け、補助駆動輪２１をガイドレール２３に沿って昇降させる油圧式のシリンダ２４を補助駆動輪２１の上方位置に取り付けている。インホイールモータ２２とシリンダ２４を左右が連動するように制御するコントローラ２５はトラクター３０の運転台に取り付けている。
【００１１】
インホイールモータ２２は金属製の固定軸２２ａの外周に巻線からなる固定子２２ｂを備え、固定子２２ｂと電磁気的に対向させた永久磁石からなる回転子２２ｃを補助駆動輪２１の内面に備え、固定軸２２ａに電圧を印加すると固定子２２ｂに電流が流れ、回転子２２ｃに回転トルクが発生して補助駆動輪２１が回転するようになっている。固定軸２２ａはその基部をガイドレール２３に摺動自在に取り付け、シリンダ２４のロッド２４ａの先端を固定軸２２ａの上部に固着し、ロッド２４ａの伸縮で補助駆動輪２１が水平向きの状態で昇降できるようにしている。
【００１２】
本実施例では、常時の走行時は図４（ａ）に示すようにシリンダ２４のロッド２４ａを縮退させて補助駆動輪２１を前後のタイヤ１２から離間させておく。悪路でトラクター３０のタイヤがスリップした場合などの非常時は、コントローラ２５を操作して図４（ｂ）に示すようにシリンダ２４のロッド２４ａを伸張させ、補助駆動輪２１を降下させて前後のタイヤ１２それぞれに押し付け、インホイールモータ２２で補助駆動輪２１を駆動させる。前後のタイヤ１２はその摩擦で同方向へ強制的に回転し、トレーラー１０が前進してトラクター３０を押進する。
【００１３】
悪路から脱出すると、コントローラ２５を操作して補助駆動輪２１を停止し、シリンダ２４のロッド２４ａを縮退させてタイヤ１２から上昇させ、走行を再開する。また、トラクター３０のエンジンの出力不足によりトレーラー１０の牽引が困難となった場合でも、前記と同様に補助駆動輪２１でトレーラー１０のタイヤ１２を強制的に回転させ、トラクター３０の牽引を補助して走行できる。
【００１４】
補助駆動輪２１は前後のタイヤ１２とシリンダ２４のロッド２４ａに三方向から挟まれて逃げ場がない状態となっているから、補助駆動輪２１はタイヤ１２に常に強く押し付けられてスリップし難くなり、駆動力をタイヤ１２に確実に伝達できるようになる。
【産業上の利用可能性】
【００１５】
本考案の技術は、トレーラーの他、大型クレーン車や特殊車両など、動力駆動されないタイヤを車両の前後に複数近接して備えた自動車にも応用できる。
【図面の簡単な説明】
【００１６】
【図１】実施例のトレーラートラックの側面図である。
【図２】実施例の補助駆動装置の説明図である。
【図３】実施例の補助駆動装置付きトレーラーの平面図である。
【図４】実施例の補助駆動装置の使用状態を示す説明である。
【符号の説明】
【００１７】
１０  トレーラー
１１  フレーム
１２  タイヤ
２０  補助駆動装置
２１  補助駆動輪
２２  インホイールモータ
２２ａ  固定軸
２２ｂ  固定子
２２ｃ  回転子
２３  ガイドレール
２４  シリンダ
２４ａ  ロッド
２５  コントローラ
３０  トラクター
【図１】
0003142601.tif 000003
【図２】
0003142601.tif 000004
【図３】
0003142601.tif 000005
【図４】
0003142601.tif 000006